(57)【要約】【課題】  本願は、平面略長方形の屋根上設置物が、その短辺が屋根の流れに直交する方向に配置され、縦葺き屋根の突条部に取り付けられる取付構造を提供することを目的とする。また、これに加え、屋根上設置物が傾斜されて取り付けられている屋根上設置物の取付構造も提供することを目的とする。【解決手段】  本願は、縦葺き屋根の突条部に取り付けられた固定具と、屋根の流れに直交する方向で隣り合う屋根上設置物同士の間隔を確保するスペーサーが用いられる屋根上設置物の取付構造である。このスペーサーが固定具に組み合わされ、スペーサーによって確保される屋根上設置物同士の間隔は、屋根上設置物の短辺長さとの和が屋根ピッチの整数倍と略等しい。なお、屋根上設置物の短辺が、屋根の流れに直交する方向に配置され、屋根上設置物の長辺が、固定具上に取り付けられる。【選択図】  図２
2019090165.tif 000002
【特許請求の範囲】
【請求項１】
縦葺き屋根の突条部に取り付けられた固定具と、
屋根の流れに直交する方向で隣り合う屋根上設置物同士の間隔を確保するスペーサーが用いられる屋根上設置物の取付構造であって、
前記スペーサーが前記固定具に組み合わされ、
前記スペーサーによって確保される屋根上設置物同士の間隔は、
前記屋根上設置物の短辺長さとの和が屋根ピッチの整数倍と略等しく、
屋根上設置物の短辺が、
屋根の流れに直交する方向に配置され、
屋根上設置物の長辺が、
前記固定具上に取り付けられる屋根上設置物の取付構造。
【請求項２】
縦葺き屋根の突条において、
低台座が組み合わされた固定具と、
高台座が組み合わされた固定具とが取り付けられており、
前記低台座及び高台座上に屋根上設置物が傾斜状に取り付けられる
請求項１の屋根上設置物の取付構造。
【発明の詳細な説明】
【技術分野】
【０００１】
本願は、平面略長方形の屋根上設置物が、その短辺が屋根の流れに直交する方向に配置され、縦葺き屋根の突条部に取り付けられる取付構造を提供することを目的とする。また、これに加え、屋根上設置物が傾斜されて取り付けられている屋根上設置物の取付構造も提供することを目的とする。
【背景技術】
【０００２】
従来技術について、図９から図１１までで説明する。
【０００３】
図９は、特開２０１７−７５５２７号公報の図１である。図９（ａ）は、太陽電池パネル１，１'の長辺が折板屋根３０の流れ方向に沿うように配設屋根の流れ方向に対して平行に太陽電池パネル１の長辺が配置して固定された状態である。そして、折板屋根３０のハゼ部３５，３５’に対し、持出金具４が所定間隔で取り付けられ、その上に、太陽電池パネル１が取り付けられている。（ｂ）は、持出金具４を示しており、本体４Ａと連結枠体４Ｂと縦ボルト４Ｃとが係合状に組み合わされている。
【０００４】
図１０は、特開２０１７−４８５０６号公報の図７である。図１０に示した先行技術では、挟持片１０の上面に、カバー体４０が装着されている。カバー体４０には、仕切突起１５が形成され、その上に載置する太陽電池モジュールのフレームの間隔を一定にすることができる。
【０００５】
図１１は、特開２０１２−１６７４５６号公報にて公開されている技術である。それには、金属屋根Ｂの馳締部Ｊに挟持されたベース具１上の挟持用低受台具２と挟持用高受台具３が示されている。そして、挟持用低受台具２と挟持用高受台具３で傾斜面を形成し、それらに太陽光発電ユニットＡを架け渡して施工していく。
【先行技術文献】
【特許文献】
【０００６】
【特許文献１】特開２０１７−７５５２７号公報
【特許文献２】特開２０１７−４８５０６号公報
【特許文献３】特開２０１２−１６７４５６号公報
【発明の概要】
【発明が解決しようとする課題】
【０００７】
しかし、図９に示した先行技術には、折板屋根のピッチに対する太陽電池モジュールの設置に関する記載は開示されていない。折板屋根のピッチ、太陽電池パネルの短辺長さがそれぞれ異なるために、それらがうまく組み合わせられず、屋根面積に対して設置枚数を減らさざるをえないことがあった。また、物件ごとに、太陽電池モジュールを連結枠体４Ｂを当接させて設置しようとして、折板屋根のピッチに合わせて製作する場合、本体４Ａと連結枠体４Ｂと縦ボルト４Ｃとを係合状に組み合わせて持出金具４とする必要があった。さらに、屋根の流れ方向に傾斜配置する場合の取付部材６Ａ・６Ｂも、胴部を傾斜角度に応じた高さと長さに設定しなければならなかった。
【０００８】
図１０に示した先行技術では、太陽電池モジュールのフレームの間隔を変更するには、それに応じたカバー体４０のバリエーションが必要であった。また、屋根の流れ方向に太陽電池モジュールが並べて設置され、隣り合うモジュール同士のフレーム間に取付金具が配置される。そのため、太陽電池モジュールを傾斜させて取り付ける場合、太陽電池モジュールのフレームの間隔を一定にするには、別な仕組みとする必要があった。
【０００９】
図１１に示した先行技術は、太陽光発電ユニットが屋根の流れ方向端部で固定されるために、挟持用低受台具及び挟持用高受台具は、太陽光発電ユニットのサイズ、傾斜角度の組合せに応じたバリエーションが多く必要であった。
【課題を解決するための手段】
【００１０】
本願は、縦葺き屋根の突条部に取り付けられた固定具と、屋根の流れに直交する方向で隣り合う屋根上設置物同士の間隔を確保するスペーサーが用いられる屋根上設置物の取付構造である。このスペーサーが固定具に組み合わされ、スペーサーによって確保される屋根上設置物同士の間隔は、屋根上設置物の短辺長さとの和が屋根ピッチの整数倍と略等しい。なお、屋根上設置物の短辺が、屋根の流れに直交する方向に配置され、屋根上設置物の長辺が、固定具上に取り付けられる。
【００１１】
また、上記に加え、縦葺き屋根の突条において、低台座が組み合わされた固定具と、高台座が組み合わされた固定具とが取り付けられている。この低台座及び高台座上に屋根上設置物が傾斜状に取り付けられる。
【発明の効果】
【００１２】
本願のスペーサーは、固定具等の立設ボルトやスペーサー載置溝に組み合わせられるだけなので、容易に目的を達成することができる。材料コストも手間もかからず、設置も簡単である。したがって、縦葺き屋根のピッチに応じて、桁行方向の屋根上設置物を安定して固定できる。また、本願の低台座と高台座は、傾斜角度に応じた角度・高さのものを準備すればよい。
【００１３】
本願は、桁行方向の間隔の異なるスペーサーを交換するだけで、屋根上設置物同士の様々な間隔に対応できる。また、本願のスペーサーは、屋根の流れに直交する方向で隣り合う屋根上設置物間に配置される。そのため、屋根上設置物が傾斜されて取り付けられる場合であっても、別の仕組みとすることなく同じスペーサーを用いることができる。
【００１４】
本願は、屋根の流れ方向ではなく、屋根の流れに直交する側（長辺）が固定されるので、低台座及び高台座は、傾斜角度に応じたもののみでよく、屋根上設置物のサイズを問わない。また、連続中間受台具等を用いないので、現場において屋根の流れ方向で隣り合う太陽電池モジュール同士の間隔を容易に拡縮することができる。
【図面の簡単な説明】
【００１５】
【図１】本願の屋根上設置物の取付構造で用いるスペーサーの実施例を示す説明図である。
【図２】本願の屋根上設置物の取付構造の実施例を示す説明図である。
【図３】本願の屋根上設置物の取付構造の実施例を示す説明図である。
【図４】本願の屋根上設置物の取付構造の実施例を示す説明図である。
【図５】本願の屋根上設置物の取付構造の実施例を示す説明図である。
【図６】本願の屋根上設置物の取付構造の実施例を示す説明図である。
【図７】本願の屋根上設置物の取付構造の実施例を示す説明図である。
【図８】本願の屋根上設置物の取付構造の実施例を示す説明図である。
【図９】従来技術の説明図である。
【図１０】従来技術の説明図である。
【図１１】従来技術の説明図である。
【実施例】
【００１６】
本願の屋根上設置物の取付構造の実施例について、図１から図８までにより説明する。図１は、本願の屋根上設置物の取付構造で用いられるスペーサーの実施例を示す斜視図である。図２は、本願の屋根上設置物の取付構造の実施例を示す説明図である。図３は、本願の屋根上設置物の取付構造で用いられる固定具、スペーサー、押え具、ナットの実施例を示す説明図である。図４は、本願の屋根上設置物の取付構造で用いられる固定具、低台座、スペーサー、押え具、ナットの実施例である。図５は、本願の屋根上設置物の取付構造で用いられる固定具、高台座、スペーサー、押え具、ナットの実施例である。図６から図８までは、本願の屋根上設置物の取付構造の実施例である。
【００１７】
本願において、平面略長方形の屋根上設置物Ｅとは、太陽光発電パネルや太陽光集熱パネル等を指す。所定の厚さを有し、平面略長方形であり、いわゆるパネル型（ボード型）のものである。本願では、その寸法等は問わないが、ある程度、寸法が既定されているものが適している。そのなかでも、太陽光発電パネルは、短辺長さが９００ｍｍ以上９９０ｍｍ未満であるものが大半を占めるため、最適である。
【００１８】
本願において、縦葺き屋根Ｙは、折板、瓦棒葺き、たてひら葺きといった、屋根の流れに沿った突条部Ｙ１２を有するものを指す。本願において屋根ピッチＰとは、同形状が繰り返される形状を構成する１単位の寸法を指す。たとえば、図２のように、ハゼ折板の場合、山部Ｙ１、傾斜部Ｙ２、谷部Ｙ３、傾斜部Ｙ２で１単位となるので、これらの幅寸法の合計が屋根ピッチＰとなる。本願において、屋根ピッチＰは、ハゼ折板に多い３３３ｍｍ、５００ｍｍが最適である。
【００１９】
これらの縦葺き屋根Ｙに屋根上設置物Ｅが取り付けられる場合、この突条部１２に固定具Ｋを取り付ける場合がある。一般的に、屋根上設置物Ｅの長辺を屋根の流れに直交する方向に配置し、その長辺が水下側端部・水上側端部で固定される方法がとられる。これは、屋根上設置物Ｅを固定する位置が縦葺き屋根Ｙの突条部１２の真上付近に限定されるので、位置合わせしやすいように長い方である長辺を組み合わせるためである。このようにして、様々なサイズの屋根上設置物Ｅが、様々な屋根ピッチＰの縦葺き屋根Ｙに取り付けられている。
【００２０】
その一方、一般的ではないが、屋根上設置物Ｅの短辺が屋根の流れに直交する方向に配置され、その短辺が水下側端部・水上側端部で固定される方法が用いられる場合もある。この場合、屋根の流れに直交する方向で隣り合う屋根上設置物Ｅ・Ｅ同士の配置間隔をあけないと屋根ピッチＰに合わないこともある。その上、屋根上設置物Ｅの固定箇所が水下側・水上側で長辺の長さ分も離れてしまうので、取り付けられた状態の安定性が低い。そのため、長辺を固定する方が望ましいが、様々な屋根上設置物の短辺長さＷを、様々な屋根ピッチＰに対応させる必要がある。たとえば、長尺の横桟等を用いて、様々な屋根ピッチＰに対応する構造が用いられることが多い。しかし、これは、コストがかかった。
【００２１】
ここで、太陽光発電パネルのような屋根上設置物の短辺長さＷが９００ｍｍ以上９９０ｍｍ未満である場合、長尺の横桟等を用いなくても数十ｍｍの間隔を調整できれば、ハゼ折板に多い３３３ｍｍや５００ｍｍの整数倍に合わせた配置で取り付けることができる。本願のスペーサーＳは、屋根の流れに直交する方向で隣り合う屋根上設置物Ｅ・Ｅ同士の間隔を確保するものである。
【００２２】
図１に示す本実施例のスペーサーＳは、帯状の板材を段折りした形状である。そして、帯状の板材の略中央部が略倒コ字状に立ち上げられ、頂部に孔Ｓ１を有し、両立上げ面が屋根上設置物当接部Ｓ２・Ｓ２となっている。また、その両端が回転止め部Ｓ３として折り下げられている。回転止め部Ｓ３と屋根上設置物当接部Ｓ２の間には、上面側に突起する導通突起Ｓ４が形成されている。
【００２３】
本実施例のスペーサーＳの孔Ｓ１及び回転止め部Ｓ３は、屋根上設置物Ｅの固定具Ｋと組み合わされる際に用いる。孔Ｓ１には、立設ボルトＫ１が挿通される。これだけで、スペーサーＳが固定具Ｋに組み合わされていればよく、ボルト・ナット等を用いて固定される必要がない。また、スペーサーＳが固定具Ｋに組み合わされると、スペーサーＳの回転止め部Ｓ３が固定具Ｋの側面に当接され、立設ボルトＫ１を中心にスペーサーＳが回転してしまうのを防ぐ仕組みになっている。そのため、取り付けられた屋根上設置物Ｅは、スペーサーＳに押えられ、回転されることがなく、安定した設置状態を保つことができる。なお、固定具Ｋは、上面の載置部Ｋ２に、スペーサー載置溝Ｋ２１が形成されていてもよい。このスペーサー載置溝Ｋ２１は、スペーサーＳが嵌る幅に形成されており、固定具Ｋの立設ボルトＫ１を中心にスペーサーＳが回転してしまうのを防ぐ。
【００２４】
本願では、図２に示すように、スペーサーによって形成される間隔Ｇと屋根上設置物の短辺長さＷとの和が、屋根ピッチＰの整数倍と略等しくなる。たとえば、屋根上設置物の短辺長さＷが９７７ｍｍの屋根上設置物Ｅを、屋根ピッチＰが５００ｍｍの縦葺き屋根Ｙに取り付ける場合、スペーサーによって形成される間隔Ｇが２３ｍｍであり、屋根ピッチＰの２倍と等しくなる（５００×２＝２３＋９７７）。このほか、屋根上設置物の短辺長さＷが９７７ｍｍの屋根上設置物Ｅを、屋根ピッチＰが３３３ｍｍの縦葺き屋根Ｙに取り付ける場合、スペーサーによって形成される間隔Ｇが２２ｍｍであり、屋根ピッチＰの３倍と等しくなる（３３３×３＝２２＋９７７）。
【００２５】
図１０で記載した先行技術では、屋根上設置物の水下側・水上側が固定される際に用いられる仕切突起１５が形成されている。仕切突起１５は、折板屋根用取付金具上における位置決めであって、その位置は折板屋根用取付金具の配置位置によっても変わるものである。一方、本願の屋根上設置物当接部Ｓ２・Ｓ２は、屋根の流れ方向に並べられた屋根上設置物Ｅの水下側端部又は水上側端部に対面するように形成されている。そのため、屋根の流れ方向で隣り合う屋根上設置物Ｅ・Ｅ同士の適正間隔を確保し、屋根の流れ方向における正しい位置に取り付けるためのガイドとしての役割を果たす。それに加え、屋根上設置物Ｅが水下側に滑るのを防ぐ役割を果たす。したがって、本願のスペーサーは、屋根面に対して屋根上設置物の取付位置を定める位置決めであって、図１０の仕切突起１５と、本願の屋根上設置物当接部は全く異なるものである。
【００２６】
本実施例のスペーサーＳの導通突起Ｓ４は、１つの固定具Ｋ上に取り付けられた太陽光発電パネルのような屋根上設置物Ｅ・Ｅ同士を導通させることができる。この場合、スペーサーＳは電導性を有する金属製が最適である。この導通突起Ｓ４・Ｓ４によって、屋根の流れに直交する方向で隣り合う太陽光発電パネル同士が取り付けられるだけで導通させられた状態になり、アース接続配線をする手間を省くことができる。
【００２７】
次に、本願の屋根上設置物の取付構造（傾斜設置）について説明する。本願は、屋根表面から屋根上設置物までの高さが異なる低台座Ｌ及び高台座Ｈを用いることによって、屋根上設置物Ｅを傾斜させて取り付けることもできる。本実施例において、低台座Ｌ及び高台座Ｈは、孔Ｌ１又は孔Ｈ１が立設ボルトＫ１に挿通され、固定具Ｋ上の載置されている。その上に、スペーサーＳ、押え具Ｏ、ナットＮが、固定具Ｋの立設ボルトＫ１又は高台座Ｈの立設ボルトＨ５に挿通されて組み合わされる。
【００２８】
本実施例の低台座Ｌは、屋根上設置物Ｅを傾斜させて取り付ける場合に、低い側に配置される部材である。所定の傾斜が形成された上面が、載置部Ｌ２である。載置部Ｌ２には、スペーサー載置溝Ｌ２１が形成されており、その略中央部に孔Ｌ１を有する。このスペーサー載置溝Ｌ２１は、スペーサーＳが嵌る幅に形成されており、固定具Ｋの立設ボルトＫ１を中心にスペーサーＳが回転してしまうのを防ぐ。また、本実施例の低台座Ｌの水上側端部には、垂下された回転止め片Ｌ３を有する。この回転止め片Ｌ３は、スペーサーＳがスペーサー載置溝Ｌ２１に載置されたときに、固定具Ｋの側面に当接され、低台座Ｌが固定具Ｋの立設ボルトＫ１を中心にして回転するのを防ぐ役割を果たす。
【００２９】
本実施例の高台座Ｈは、屋根上設置物Ｅを傾斜させて取り付ける場合に、高い側に配置される部材である。所定の傾斜が形成された上面が、載置部Ｈ２である。載置部Ｈ２には、スペーサー載置溝Ｈ２１が形成されており、一段深い立設ボルト用溝Ｈ４を有する。このスペーサー載置溝Ｈ２１は、スペーサーＳが嵌る幅に形成されており、高台座Ｈの立設ボルトＨ５を中心にスペーサーＳが回転してしまうのを防ぐ。立設ボルト用溝Ｈ４には、側方の開口から立設ボルトＨ５の頭部がスライドされ、上方に抜けないように組み合わされている。この立設ボルトＨ５は、スペーサーＳがスペーサー載置溝Ｈ２１に嵌り、スペーサーＳの回転止め部Ｓ３・Ｓ３が高台座Ｈに当接するように組み合わされることによって、位置が定まり、スライドできない状態となる。また、本実施例の高台座Ｈの水下側端部には、垂下された回転止め片Ｈ３を有する。この回転止め片Ｈ３は、固定具Ｋの側面に当接され、高台座Ｈが固定具Ｋの立設ボルトＫ１を中心にして回転するのを防ぐ。なお、高台座Ｈは、底面に孔Ｈ１が形成されている。高台座Ｈは、孔Ｈ１が固定具Ｋの立設ボルトＫ１に挿通され、ナットＮによって取り付けられている。
【００３０】
このように、本願におけるスペーサーＳは、固定具Ｋ上、低台座Ｌ上、高台座Ｈ上のいずれに対しても、組み合わせることができる。また、本実施例のように低台座Ｌ、高台座Ｈを用いて、屋根上設置物Ｅを傾斜させて設置する場合でも、スペーサーＳの導通突起Ｓ４によって、１つの固定具Ｋ上に取り付けられた太陽光発電パネルのような屋根上設置物Ｅ・Ｅ同士を導通させることができる。この場合、スペーサーＳは電導性を有する金属製が最適である。この導通突起Ｓ４・Ｓ４によって、屋根の流れに直交する方向で隣り合う太陽光発電パネル同士が取り付けられるだけで導通させられた状態になり、アース接続配線をする手間を省くことができる。これは、図１１に示した先行技術のような連続中間受台具では、実現できないことである。それは、高い側と低い側で隣接する屋根上設置物の端部同士が離れてしまうこと、屋根上設置物のサイズと傾斜角度にあわせたバリエーションを多くそろえる必要があるためである。
【００３１】
本実施例では、低台座Ｌが組み合わされた水下側の固定具Ｋと、高台座Ｈが組み合わされた水上側の固定具Ｋとが、屋根の流れ方向で隣接するように縦葺き屋根の突条に取り付けられている。本実施例の固定具Ｋは、挟持部Ｋ３・Ｋ３で縦葺き屋根Ｙの突条部Ｙ１２を挟むことによって、屋根上に固定される。また、固定具Ｋの上面には、軸部を上向きにした立設ボルトＫ１を有する。本実施例の固定具Ｋの立設ボルトＫ１は、低台座Ｌが組み合わされる場合、スペーサーＳ、押え具Ｏ、ナットＮも組み合わされる。一方、高台座Ｈが組み合わされる場合、上面に別の立設ボルトＨ５を有するものがナットで固定される。なお、本実施例の高台座Ｈの立設ボルトＨ５には、スペーサーＳ、押え具Ｏ、ナットＮが組み合わされる。
【００３２】
本実施例では、押え具Ｏが用いられる。屋根上設置物Ｅは、ナットＮが締めつけられることによって、低台座Ｌ又は高台座Ｈと、押え具Ｏに長辺が挟まれて取り付けられる。本実施例において、押え具Ｏの底面には、スペーサーによって形成される間隔Ｇと同じ幅で形成された２本の突条Ｏ２・Ｏ２を有する。この突条Ｏ２・Ｏ２は、風によって屋根上設置物Ｅが吹き上げられ、隣り合う上面同士が近接して、それらが略Ｖ字状になってしまうのを防ぐ役割を果たす。
【００３３】
本実施例の屋根上設置物の取付構造は、低台座Ｌ及び高台座Ｈだけを異なる傾斜のものに変えるだけで、屋根上設置物Ｅを取り付ける傾斜角度を変えることができる。このとき、固定具Ｋ、スペーサーＳ、押え具Ｏ、ナットＮ等は同じものを用いることができる。これは、図７において破線で示すように、屋根上設置物Ｐの傾斜角度を変えても、屋根ピッチＰ、屋根上設置物の短辺長さＷが変わらないためである。そのため、部材のバリエーションが少なくてすむ。
【００３４】
本実施例の屋根上設置物の取付構造は、傾斜角度が同じ場合、屋根の流れ方向の固定具Ｋの取付間隔が一定であれば、図８において破線で示すように、長辺長さが異なる屋根上設置物Ｅであっても、固定具Ｋ、低台座Ｌ、高台座Ｈ、スペーサーＳ、押え具Ｏ、ナットＮ等、すべて同じものを使用することができる。これは、低台座Ｌ、高台座Ｈの高さと、それらの取付間隔によって、傾斜角度がおのずと決まるので、低台座Ｌと高台座Ｈの取り付け間隔よりも大きい長辺を有する屋根上設置物Ｅであれば、同様に取り付けることができる。そのため、部材のバリエーションが少なくてすむ。また、屋根の流れ方向で隣り合う屋根上設置物Ｅ・Ｅ同士の間隔を拡縮することも容易である。そのため、近隣の立ち木、屋根上設置物そのもの等の影を考慮した配置にしたり、屋根の流れ方向で隣り合う屋根上設置物Ｅ・Ｅ同士の間隔を狭めて設置枚数を最大化したりと、現場の状況に応じた設置が可能になる。
【符号の説明】
【００３５】
Ｓ        スペーサー
Ｓ１      孔
Ｓ２      屋根上設置物当接部
Ｓ３      回転止め部
Ｓ４      導通突起
Ｅ        屋根上設置物
Ｙ        縦葺き屋根
Ｙ１      山部
Ｙ１２    突条部
Ｙ２      傾斜部
Ｙ３      谷部
Ｋ        固定具
Ｋ１      立設ボルト
Ｋ２      載置部
Ｋ２１    スペーサー載置溝
Ｋ３      挟持部
Ｌ        低台座
Ｌ１      孔
Ｌ２      載置部
Ｌ２１    スペーサー載置溝
Ｌ３      回転止め片
Ｈ        高台座
Ｈ１      孔
Ｈ２      載置部
Ｈ２１    スペーサー載置溝
Ｈ３      回転止め片
Ｈ４      立設ボルト用溝
Ｈ５      立設ボルト
Ｏ        押え具
Ｏ１      孔
Ｏ２      突条
Ｎ        ナット
Ｐ        屋根ピッチ
Ｇ        隣り合う屋根上設置物の長辺同士の間隔（スペーサーによって形成される間隔）
Ｗ        屋根上設置物の短辺長さ
【図１】
2019090165.tif 000003
【図２】
2019090165.tif 000004
【図３】
2019090165.tif 000005
【図４】
2019090165.tif 000006
【図５】
2019090165.tif 000007
【図６】
2019090165.tif 000008
【図７】
2019090165.tif 000009
【図８】
2019090165.tif 000010
【図９】
2019090165.tif 000011
【図１０】
2019090165.tif 000012
【図１１】
2019090165.tif 000013